(57)【特許請求の範囲】
【請求項１】
支持枠と、該支持枠に対して開閉可能な開閉枠とを有し、設置島に列設される弾球遊技機において、
前記支持枠の一側上下には、該支持枠に止着される止着金具と、該止着金具に一端が軸支される第１アームと、該第１アームの中間部に第１支軸によって軸支され且つ一端が第２支軸によって掛け金具に軸支される第２アームと、前記止着金具に一端が軸支され且つ他端が前記第２アームの他端に軸支される第３アームと、前記掛け金具に第３支軸によって一端が軸支され且つ他端が前記第１アームの他端に第４支軸によって軸支される第４アームと、からなる複数の部材を連節してなるパンタグラフ状に伸縮自在な多関節蝶番を止着する一方、
前記開閉枠の一側上下には、前記多関節蝶番の前記掛け金具に形成される係合部に対して着脱自在に係合し得る被係合部が形成された装着部材を止着し、
前記第１支軸と前記第４支軸と前記第２支軸と前記第３支軸とを結ぶ四角形が常に平行四辺形となるように構成することにより、前記第１アームが閉止位置から前記前面枠に対してほぼ直角の位置に回動したときに、前記開閉枠が前記支持枠に対してほぼ直角となるように開放された状態となる一方、
前記開閉枠を前記支持枠に対して閉じた状態とすることにより、前記多関節蝶番を構成する複数の部材のうち、一の部材に形成される係合凹部と他の部材に形成される係合凸部とが嵌り合う状態となることを特徴とする弾球遊技機。
【発明の詳細な説明】
【０００１】
【産業上の利用分野】
本発明は、支持枠と、該支持枠に対して開閉可能な開閉枠とを有し、設置島に列設される弾球遊技機に関するものである。
【０００２】
【従来の技術】
従来、パチンコ玉を弾発して遊技を行う弾球遊技機においては、設置島台に止着される支持枠としての外枠に開閉枠としての前面枠が一側を軸支されて開閉自在に設けられ、あるいは、支持枠としての前面枠に開閉枠としてのガラス扉枠が一側を軸支されて開閉自在に設けられていた。この開閉自在なヒンジ機構としては、軸支穴に軸支ピンを差し込んで枢支することにより行っていた。例えば、図１０（Ａ）に示すように、外枠１１に設けられる前面枠１２（この前面枠１２も外枠１１に対して開閉自在に設けられる）に対してガラス扉枠３０が枢支軸７５によって開閉自在に設けられるが、近年における弾球遊技機においては、装飾効果を高めるために、ガラス扉枠３０の前面側に装飾部材３２，３６が前方に突出するように設けられるものが多くなりつつある。このような構成を有するガラス扉枠３０を具備した弾球遊技機を設置島台に設置した状態でガラス扉枠３０を開放したときには、図１０（Ｂ）に示すように、台間玉貸機２の突出した玉貸出口７とガラス扉枠３０表面の装飾部材３２，３６等とが開度が十分でないうちに当接してしまうという欠点があった。
【０００３】
このような欠点を解消するために、支持枠と開閉枠とを開閉するヒンジ機構としてパンタグラフ状に伸縮する多関節蝶番を利用して開閉枠の開閉の際に、隣接する設置物と当接しないようにして十分な開度を得るものが提案されている。例えば、特開平６−１９８０６３号，特開平６−２９２７５８号，特開平６−３０４３１９号等がある。
【０００４】
【発明が解決しようとする課題】
しかしながら、上記したいずれの先行技術においても、支持枠と開閉枠とを多関節蝶番で止着固定しているため、一旦組み付けた後には、支持枠と開閉枠とを分離することができず、特に遊技場で修理点検する際に不便であるという問題があった。本発明は、上記した事情に鑑みなされたもので、その目的とするところは、隣接する設置物と当接しないようにして十分な開度を得ることができると共に、支持枠と開閉枠との分離を容易に行うことができる弾球遊技機を提供することにある。
【０００５】
【課題を解決するための手段】
上記した目的を達成するために、本発明においては、
支持枠と、該支持枠に対して開閉可能な開閉枠とを有し、設置島に列設される弾球遊技機において、
前記支持枠の一側上下には、該支持枠に止着される止着金具と、該止着金具に一端が軸支される第１アームと、該第１アームの中間部に第１支軸によって軸支され且つ一端が第２支軸によって掛け金具に軸支される第２アームと、前記止着金具に一端が軸支され且つ他端が前記第２アームの他端に軸支される第３アームと、前記掛け金具に第３支軸によって一端が軸支され且つ他端が前記第１アームの他端に第４支軸によって軸支される第４アームと、からなる複数の部材を連節してなるパンタグラフ状に伸縮自在な多関節蝶番を止着する一方、
前記開閉枠の一側上下には、前記多関節蝶番の前記掛け金具に形成される係合部に対して着脱自在に係合し得る被係合部が形成された装着部材を止着し、
前記第１支軸と前記第４支軸と前記第２支軸と前記第３支軸とを結ぶ四角形が常に平行四辺形となるように構成することにより、前記第１アームが閉止位置から前記前面枠に対してほぼ直角の位置に回動したときに、前記開閉枠が前記支持枠に対してほぼ直角となるように開放された状態となる一方、
前記開閉枠を前記支持枠に対して閉じた状態とすることにより、前記多関節蝶番を構成する複数の部材のうち、一の部材に形成される係合凹部と他の部材に形成される係合凸部とが嵌り合う状態となることを特徴とするものである。
【０００６】
【０００７】
【０００８】
【作用】
支持枠の一側上下には、パンタグラフ状に伸縮自在な多関節蝶番を止着する一方、開閉枠の一側上下には、多関節蝶番の先端部に形成される係合部に対して着脱自在に係合し得る被係合部が形成された装着部材を止着したので、支持枠に対する開閉枠の開度を十分確保することができると共に、開閉枠が支持枠に対して着脱が自在であるので、修理点検を極めて容易に行うことができる。
【０００９】
【実施例】
以下、図面を参照して、本発明の実施例について説明する。本実施例の要部を構成する弾球遊技機１０の構成について図１乃至図３を参照して説明する。図１は、実施例に係る弾球遊技機１０を設置島台１に設置した状態を示す斜視図であり、図２は、弾球遊技機１０の正面図であり、図３は、前面枠１２及びガラス扉枠３０を開放した状態を示す弾球遊技機１０の斜視図である。本実施例における弾球遊技機１０としては、弾発された打玉が遊技盤１３に形成された入賞口や入賞球装置に入賞した入賞玉に基づいて所定個数の景品玉を払い出す形式のパチンコ遊技機を図示したものであるが、弾発された打玉が遊技盤に設けられる複数の入球口に入球して、その入球口の組合せによって得点が与えられ、その得点に応じた景品玉が払い出される形式の弾球遊技機（俗にアレンジ遊技機と称される）であってもよい。
【００１０】
まず、図１を参照して、弾球遊技機１０が列設配置される設置島台１の構成について簡単に説明する。周知のように、設置島台１には、多数の弾球遊技機１０が背向列設されると共に、各弾球遊技機１０の間には、各弾球遊技機１０と１対１対応するように遊技玉を借り受ける台間玉貸機２が挟持されている。台間玉貸機２には、硬貨投入口や玉貸出口７やコイン返却口等が設けられているが、特に、玉貸出口７は、前方に突出して設けられている。また、各弾球遊技機１０の上部には、トラブル時や大当り時に点灯する呼出ランプ装置３が取り付けられ、弾球遊技機１０の下部には、獲得した景品玉を移し替える玉箱（図示しない）を載置するカウンター台４が設けられている。更に、各弾球遊技機１０の前方位置には、遊技者が座る椅子５が設けられるが、この椅子５の脚柱には、装飾ランプ６が内蔵されて大当り時等に点灯制御されるようになっている。
【００１１】
上記した設置島台１に設置される弾球遊技機１０は、図３に示すように、縦長な方形状に枠組み形成される外枠１１と、該外枠１１の一側に開閉自在に軸支され且つ弾球遊技機１０の主要構成部のほぼすべてが集約して設けられる前面枠１２と、該前面枠１２の前面上部に開閉自在に設けられるガラス扉枠３０とから構成されている。また、前面枠１２に設けられる主要構成部としては、遊技盤１３、上皿１７、灰皿１９を含む下皿１８、操作ハンドル２０、施錠装置２０等がある。
【００１２】
外枠１１は、木製の板材を枠組み構成することにより形成され、この外枠１２には、前面枠１２が開閉自在に軸支される。そして、このヒンジ構造は、ピン枢支によって行われているが、そのピン枢支点が従来から外枠１１の一側前方位置で行われているので、前面枠１２を開放したときに前面枠１２が外枠１１から若干前方位置で開放されることとなるので、ガラス扉枠３０の表面の装飾部材３２，３６が隣接する台間玉貸機２の玉貸出口７等に当接するのは、ある程度の開度を得てからである。したがって、外枠１１と前面枠１２とのヒンジ構造は、従来と同じ外枠１１の一側前方位置でのピン枢支でも良い。しかし、十分な開度を得るために、図９に示すように、その一側上下の内側側面に取り付けられる蝶番取付部材７０に固着される多関節蝶番５０によって前面枠１２が開閉自在に軸支されるようにしても良い。下部の蝶番取付部材７０は、外枠１１の下部前面に固着され且つ前面枠１２の下辺部を載置する当て板７１の上部に固着される。なお、多関節蝶番５０の構造については、後に詳述するが、多関節蝶番５０によって開閉自在に連結される外枠１１と前面枠１２とは着脱自在に分離できるようになっている。
【００１３】
上記した外枠１１に開閉自在に取付けられる前面枠１２は、合成樹脂によって一体成形されるものであり、その上部にほぼ正方形状の開口部が形成され、その下部が板状となっている。開口部には、可変表示装置１４や可変入賞球装置１５等の遊技装置が設けられる遊技盤１３が臨むようになっているが、この遊技盤１３は、前面枠１２の裏面であって遊技盤１３を収納固定する遊技盤収納枠に対して着脱自在に取り付けられるようになっている。また、下部の板状部分の上半分は、遊技盤１３の装着時の遊技盤面と同一平面となるように凹状となっており、その凹状部に発射レール（図示しない）が取り付けられ、その発射レールの前方を覆うように上皿１７が固着される上皿取付板１６が前面枠１２に対して開閉自在に取り付けられている。この上皿取付板１６のヒンジ構造も多関節蝶番５０を使用しても良いが、この上皿取付板１６は、さらに開閉頻度が少ないので、図示の実施例では、従来と同じように、ピン枢支によって軸支されている。
【００１４】
また、前面枠１２の最下部の板状部分は、上記した上皿取付板１６とほぼ同一平面となるように形成され、その前面に下皿１８，灰皿１９，操作ハンドル２０が取り付けられている。操作ハンドル２０は、打球の発射動作を開始させると共に打球の発射勢を調節するものである。
【００１５】
前面枠１２の裏面には、その開放側に施錠装置２１が固着されている。この施錠装置２１は、外枠１１に対する前面枠１２の施錠及び前面枠１２に対するガラス扉枠３０に対する施錠を司るものであり、前記上皿取付板１６の側方に配置されるシリンダー錠２７を一方向に回動操作することにより、第１上下摺動部材（図示しない）に形成された係合フック２２と外枠１１の内側上下に固着される係合片２４との係合状態を解除して外枠１１と前面枠１２との施錠を解除し、一方、シリンダー錠２７を他方向に回動操作することにより、第２上下摺動部材（図示しない）に形成された係合穴とガラス扉枠３０の開放側上下に後方に向かって突設されるフック４７との係合状態を解除して前面枠１２とガラス扉枠３０との施錠を解除する。なお、この解除は、シリンダー錠２７の他方向回動操作でなくても、前面枠１２を開放した状態で施錠装置２１に設けられるガラス扉枠開放レバー２３を操作することによっても行うことができる。なお、図示の実施例では、前面枠１２とガラス扉枠３０との横幅寸法が同じであるため、前面枠１２の開放側上下には、ガラス扉枠３０のフック４７が貫通する係止貫通穴２６が形成されている。
【００１６】
前面枠１２には、上記した構成以外に、軸支側の上下に多関節蝶番５０を取り付けるための多関節蝶番取付凹部２８が形成され、その多関節蝶番取付凹部２８内に設けられる取付ボス６８（図４参照）に多関節蝶番５０の止着金具５１がビス６９（図７参照）で止着されるようになっている。また、前面枠１２の軸支側の上端には、ガラス扉枠３０を閉じた状態でガラス扉枠３０の上方への移動を防止する抜け防止部材２９が固着されている。この抜け防止部材２９は、図示の実施例の場合、前面枠１２だけに設けられているが、前面枠１２と外枠１１とのヒンジ構造が多関節蝶番５０によって行われている場合には、外枠１１の軸支側上端にも抜け防止部材２９と同様な防止部材を固着することが望ましい。このように、抜け防止部材２９を設けることにより、遊技場において、施錠されているガラス扉枠３０や前面枠１２の軸支側を持ち上げてそれぞれの軸支状態を解消してガラス扉枠３０と前面枠１２との間又は前面枠１２と外枠１１との間の隙間を形成する不正行為を防止することができるものである。
【００１７】
次に、ガラス扉枠３０の構成について説明する。ガラス扉枠３０は、前記遊技盤１３の遊技領域を透視し得るセットガラス板４２を装着し得るものであると共に、本実施例においては、特に装飾効果及び強度を高め得るように構成されたものである。しかして、本実施例におけるガラス扉枠３０は、遊技盤１３の遊技領域を透視し得る円形開口窓３１が形成される合成樹脂製の板部材によって構成され、その円形開口窓３１の開口縁に沿って図示しない装飾用の蛍光灯を内蔵する主装飾部材３２が取り付けられ、その主装飾部材３２に重合するように上部装飾部材３３、ＬＥＤカバー３５、側方装飾部材３６、下部装飾部材３７が取り付けられている。上部装飾部材３３には、その左右に内部にスピーカ（図示しない）を収納するスピーカ収納部３４が設けられている。しかして、上記した主装飾部材３２、上部装飾部材３３、ＬＥＤカバー３５、側方装飾部材３６、下部装飾部材３７は、前面枠１２の表面よりも突出した状態となっているので、ガラス扉枠３０を開放したときには、隣接する台間玉貸機２等に最初に当接するのは、それら装飾部材の一部であり、従来のようにピン枢支によるヒンジ構造では、ガラス扉枠３０の開度が十分ではなくなる虞れがあるため、本実施例では、後に詳述する多関節蝶番５０によってガラス扉枠３０を前面枠１２に対して軸支している。
【００１８】
一方、ガラス扉枠３０の裏面側の構造においては、図３に示すように、その上部左右に金属板３８が設けられてガラス扉枠３０全体の強度を向上すべく補強しており、その金属板３８の裏面には、図６に示すように、更に金属補強板３９が止着されると共に、ガラス扉枠３０の外周後方に向かって防犯フランジ部４０が突設されている。この防犯フランジ部４０は、前記前面枠１２の外周部に形成された防犯溝１２ａに挿入されて、ガラス扉枠３０を閉じた状態でガラス扉枠３０と前面枠１２との間からピアノ線等の不正具の侵入を防止するようになっている。また、ガラス扉枠３０の開放側の上下には、前記したフック４７が後方に向かって突設されており、このフック４７が前記施錠装置２１と係脱してガラス扉枠３０の施錠を司っている。更に、前記主装飾部材３２の裏面には、ガラス取付ネジ４１が複数個（４個）突設されるが、このガラス取付ネジ４１にセットガラス板４２が着脱自在に取り付け得るようになっている。
【００１９】
また、ガラス扉枠３０の軸支側裏面の上下には、多関節蝶番５０の先端部に形成される係合部としての係止片５８と係合する被係合部としての装着係合凹部４４を有する装着板４３が止着されている。装着板４３は、図４及び図６に示されるように、ボルト４５とナット４６とによってガラス扉枠３０に止着されるものであり、その中央に形成される装着係合凹部４４は、下方が開放された凹溝として形成され、多関節蝶番５０の係止片５８を下方から挿入し得るようになっている。
【００２０】
ここで、多関節蝶番５０の構成について図４乃至図８を参照して説明する。図４は、ガラス扉枠３０を閉じた状態での多関節蝶番５０の状態を示す平面図であり、図５は、開いた状態の多関節蝶番５０の斜視図であり、図６は、ガラス扉枠３０を閉じた状態での多関節蝶番５０の状態を示す縦断面図であり、図７は、ガラス扉枠３０を開放した状態で着脱する状態を示す正面図であり、図８は、多関節蝶番５０の作用を説明する平面図である。
【００２１】
まず、図５に示すように、多関節蝶番５０は、前面枠１２の前記多関節蝶番取付凹部２８内に突設される取付ボス６８（図４参照）に取り付けるためのＬ字型に形成された止着金具５１と、該止着金具５１のＬ字型短辺の先端に支軸５３によって軸支される上下一対の第１アーム５２と、該第１アーム５２の中程よりやや先端寄りに支軸５５によって軸支され且つ後端が支軸５７によって係止片５８を有する掛け金具５６に軸支される上下一対の第２アーム５４と、前記止着金具５１のＬ字型短辺の基部に支軸６０によって一端が軸支され且つ前記第２アーム５４の先端に支軸６１によって軸支される第３アーム５９と、前記掛け金具５６に支軸６３によって一端が軸支され且つ前記第１アーム５２の先端に支軸６４によって軸支される第４アーム６２と、前記第２アーム５４及び第４アーム６２によって軸支される掛け金具５６と、から構成されている。
【００２２】
上記した各構成のうち、掛け金具５６の前面には、係合部としての係止片５８が突設されるが、この係止片５８は、図７に示すように、掛け金具５６の前面から鉤状平板が上方に向けて突設された構造となっている。ただし、係止片５８の先端左右は、前記装着係合凹部４４に挿入し易くするため、傾斜切欠部５８ａが形成されている。また、第１アーム５２の基部と掛け金具５６の一端部とは、閉じた状態で当接した状態となるが、その当接部分の第１アーム５２側には、係止凹部６５が形成され、掛け金具５６側には、係止凸部６６が形成されている。この係止凹部６５と係止凸部６６とは、図４に示すように、閉じた状態で嵌り合うようになっているので、その状態での多関節蝶番５０のガタ付きをなくすことができ、結果的にこれがガラス扉枠３０と前面枠１２との間の隙間（イ）をできにくくしているので、軸支側からの不正具による不正行為を防止できるというメリットがある。更に、止着金具５１のＬ字型長辺の底面部には、取付穴６７が穿設され、該取付穴６７を前面枠１２の多関節蝶番取付凹部２８内に突設される取付ボス６８に対応させてビス６９で止着することにより、多関節蝶番５０を前面枠１２に固着することができる。
【００２３】
上記のように構成される多関節蝶番５０においては、支軸５５，５７，６３，６４を結ぶ四角形が常に平行四辺形となるように設計されており、閉じた状態で支軸５５，６４を結ぶ直線が前面枠１２に対して平行となるように設計されている。このため、支軸５７，６３に連結される掛け金具５６も前面枠１２に対して平行となる。また、支軸５５，５７を通る直線と支軸６０を通る水平線との交点がほぼ支軸６１の位置となっている。しかして、閉じた状態から開放状態に移動する際には、第１アーム５２及び第４アーム５９が時計方向に回動することとなるが、第１アーム５２の時計方向回転につれて支軸６１が図４の左方向に移動することとなるので、初期の段階では、支軸５７が右方向に移動しながら前方に移動する。この支軸５７の右方向移動は、支軸５３と支軸６４とが水平線上に並ぶまでであり、支軸６４が支軸５３の水平線を越えると支軸５７は左方向に移動し始める。左方向に移動し始めても前方への移動は、変わらない。つまり、掛け金具５６は、初期の段階で前方に移動しながら僅かに右方向へ移動し、その後前方に移動しながら左方向に移動する。もちろん、このとき掛け金具５６は、支軸５５，６４を結ぶ線分と常時平行であるため、その傾斜角度は、第１アーム５２の回転角度に比例して徐々に大きくなるようになっており、最終的に第１アーム５２が前面枠１２に対してほぼ直角（この実施例では、直角よりもやや大きくなる）となるまで回動されるので、掛け金具５６もほぼ直角となる。
【００２４】
上記した構成及び作用を有する多関節蝶番５０を前面枠１２の一側上下に固着し、一方、装着板４３をガラス扉枠３０に止着したものにおいて、ガラス扉枠３０を前面枠１２に取り付けるには、図７に示すように、多関節蝶番５０の掛け金具５６を前方に伸ばした状態、即ち前面枠１２に対してほぼ直角となる状態でガラス扉枠３０を持ち上げて装着板４３の装着係合凹部４４を掛け金具５６の前面に形成される係止片５８に挿入して取り付けることができる。その後、ガラス扉枠３０の開放側を押して閉じると、図６に示すように、ガラス扉枠３０の上端が抜け防止部材２９によって上方への移動が防止されるので、ガラス扉枠３０を閉じた状態、即ち施錠した状態では、前面枠１２に対してガラス扉枠３０を外して行う不正行為を確実に防止することができる。
【００２５】
また、通常の取扱では、図８（Ａ）〜（Ｃ）に示すように、弾球遊技機１に隣接する台間玉貸機２の玉貸出口７が大きく突出していても、ガラス扉枠３０の開放時においては、ガラス扉枠３０が前面枠１２に対して前方に移動した状態で開放されるので、ガラス扉枠３０の前面に突出する装飾部材３２，３６と玉貸出口７との当接を避けて大きく開放することができ、簡単な修理点検の邪魔となることはない。また、複雑な修理点検を行う場合であっても、ガラス扉枠３０を開放した状態で上方に持ち上げることにより、簡単にガラス扉枠３０を取り外すことができるので、複雑な修理点検も行い易くなる。また、製造時においても、ガラス扉枠３０と前面枠１２とが着脱できる構造であると、組立作業が簡単となる利点があり、更に、ガラス扉枠３０の交換の必要が生じたときにも、簡単に交換することができる。
【００２６】
なお、前述したように、着脱自在な多関節蝶番５０を図９に示すように、外枠１１と前面枠１２とのヒンジ構造に用いても良い。また、多関節蝶番５０を開閉枠の方に止着し、装着板４３を支持枠の方に設けても良いし、係合部を凹溝状として形成し、被係合部を挿入し可能な挿入片として形成しても良い。
【００２７】
【発明の効果】
以上、説明したところから明らかなように、本発明においては、支持枠の一側上下には、パンタグラフ状に伸縮自在な多関節蝶番を止着する一方、開閉枠の一側上下には、多関節蝶番の先端部に形成される係合部に対して着脱自在に係合し得る被係合部が形成された装着部材を止着したので、支持枠に対する開閉枠の開度を十分確保することができると共に、開閉枠が支持枠に対して着脱が自在であるので、修理点検を極めて容易に行うことができる。また、開閉枠を支持枠に対して閉じた状態とすることにより、多関節蝶番を構成する複数の部材のうち、一の部材に形成される係合凹部と他の部材に形成される係合凸部とが嵌り合う状態となるので、その状態での多関節蝶番のガタ付きをなくすことができ、結果的にこれが開閉枠と支持枠との間の隙間をできにくくしているため、軸支側からの不正具による不正行為を防止できるというメリットがある。
【図面の簡単な説明】
【図１】  実施例に係る弾球遊技機を設置島台に設置した状態を示す斜視図である。
【図２】  弾球遊技機の正面図である。
【図３】  前面枠及びガラス扉枠を開放した状態を示す弾球遊技機の斜視図である。
【図４】  ガラス扉枠を閉じた状態での多関節蝶番の状態を示す平面図である。
【図５】  開いた状態の多関節蝶番の斜視図である。
【図６】  ガラス扉枠を閉じた状態での多関節蝶番の状態を示す縦断面図である。
【図７】  ガラス扉枠を開放した状態で着脱する状態を示す正面図である。
【図８】  多関節蝶番の作用を説明する平面図である。
【図９】  多関節蝶番を外枠と前面枠とのヒンジ構造に適用した場合の弾球遊技機の斜視図である。
【図１０】  従来のヒンジ構造の作用を説明する平面図である。
【符号の説明】
１  設置島台
１０  弾球遊技機
１１  外枠
１２  前面枠
１３  遊技盤
２９  抜け防止部材
３０  ガラス扉枠
４３  装着板（装着部材）
４４  装着係合凹部（被係合部）
５０  多関節蝶番
５１  止着金具
５２  第１アーム
５４  第２アーム
５６  掛け金具
５８  係止片（係合部）
５９  第３アーム
６２  第４アーム
６５  係止凹部
６６  係止凸部
【図１】
0004132098.tif 000002
【図２】
0004132098.tif 000003
【図３】
0004132098.tif 000004
【図４】
0004132098.tif 000005
【図５】
0004132098.tif 000006
【図６】
0004132098.tif 000007
【図７】
0004132098.tif 000008
【図８】
0004132098.tif 000009
【図９】
0004132098.tif 000010
【図１０】
0004132098.tif 000011